(57)【特許請求の範囲】
【請求項１】
１ないし複数の太陽電池セルと太陽電池セルの出力を取り出すための内部配線とが共に保護フィルムにより両面から被覆されてなる太陽電池モジュール本体と、さらに内部配線と外部ケーブルとの接続用端子を内蔵する端子箱が太陽電池モジュール本体に取り付けられている太陽電池モジュールにおいて、前記端子箱は、この前記端子箱の底面より大きい取り付け板により太陽電池モジュール本体に取り付けられている太陽電池モジュールの設置方法であって、前記取り付け板の前記端子箱の外側縁部をテント構造建築物の構造体に固定することにより、前記端子箱をテント構造建築物の構造体に固定することを特徴とする太陽電池モジュールの設置方法。
【請求項２】
前記内部配線は編組導体であることを特徴とする請求項１に記載の太陽電池モジュールの設置方法。
【請求項３】
前記太陽電池モジュール本体は内部配線の延長部が前記保護フィルムの延長部により両面から被覆されてなる細長い延長ケーブルを有し、この延長ケーブルの端部に前記端子箱が取り付けられていることを特徴とする請求項１または２に記載の太陽電池モジュールの設置方法。
【請求項４】
前記内部配線の延長部は前記太陽電池モジュールの太陽電池セルの外側周縁部に巡らされており、延長部に沿っての裁断により細長い前記延長ケーブルが得られることを特徴とする請求項３に記載の太陽電池モジュールの設置方法。
【発明の詳細な説明】
【０００１】
【発明の属する技術分野】
本発明はプラスチックフィルムで被覆されているフレキシブルな太陽電池モジュールのテント構造建築物への設置方法に関し、また設置に適した太陽電池モジュールに関する。
【０００２】
【従来の技術】
フレキシブルな基板とその上に形成された光電変換素子とからなる太陽電池セルを耐候性のプラスチックフィルムで被覆してなる太陽電池モジュールはそのフレキシビリティの故にフレキシブルであるテント構造建築物への設置に適している。
【０００３】
図７は従来の端子箱を有するフレキシブルな太陽電池モジュールを示し（ａ）は透視平面図であり、（ｂ）は（ａ）におけるＡＡ、ＢＢ合成断面図である。
１ないし複数の太陽電池セル１１の両側には太陽電池モジュールから太陽電池の電力を取出すための帯状の平箔金属板などからなる内部配線１３が平行に配置され、各太陽電池セル１１の陽極および陰極はそれぞれ電力を取出すための導電性粘着テープなどからなる補助配線１２により内部配線１３に電気的に接続されている。これら太陽電池セル１１、補助配線１２および内部配線線１３は、例えば封止フィルムとしてエチレン・酢酸ビニル共重合体（以下、ＥＶＡと略記する）あるいはテトラフルオロエチレン・ヘキサフルオロプロピレン・ビニリデンフロライド共重合体（以下、ＴＨＶと略記する）などの熱溶着性プラスチック材１４を介して、耐候性フィルムとしてエチレン・テトラフルオロエチレン共重合体（以下、ＥＴＦＥと略記する）などのフッ素系樹脂などの耐候性材料からなる表面保護フィルム１５を、裏面側にはテント膜材と太陽電池モジュールの一体化を強固で簡便に行なうためヘキサフルオロプロピレン・テトラフルオロエチレン共重合体（以下、ＦＥＰと略記する）などからなる裏面保護フィルム１６で挟み込まれ被覆され太陽電池モジュール本体とされている。
【０００４】
内部配線１３の終端部は端子箱１７内に導入され外部の配線への接続に用いられる外部接続端子に接続されている。端子箱１７は、太陽電池モジュール本体の太陽電池セルの無い非発電領域の受光面側に配置され、太陽電池モジュール本体を挟んで、太陽電池モジュール本体の裏面側の端子箱の底面とほぼ同じ寸法のプラスチック等からなる取付け板１８とネジ（図示してない）で互いに固定されている。
【０００５】
太陽電池モジュールは、太陽電池モジュール本体の周辺の斜線を施した周縁部ｍを加熱し、裏面保護部フィルム１６とテント膜材の表面コーティング材とを熱溶着して、テント構造建築物に設置される。
【０００６】
【発明が解決しようとする課題】
テント構造建築物では、使用されているテント膜材に強風が当るとテント膜材に波打ち等が起きる。この時、太陽電池モジュールもテント膜材と共に波打つが、端子箱のある個所は端子箱の分重いため、慣性力が大きくなり、端子箱近傍の裏面保護部フィルムとテント膜材との溶着個所には、他の個所よりも引張り力等の機械力が大きくなり、他の個所よりも早く破損が生ずる。また、端子箱から出ているケーブル（外部配線）は、テント膜材や建築物構造体に保持されインバータに引き込まれるが、建築物構造体に保持されているケーブルはほとんど動かないので、テント膜材とともに端子箱が動くと、ケーブルに引張り力が働きケーブルの破損をきたすこともある。
【０００７】
本発明は、上記のような不具合の発生を抑制できる太陽電池モジュールの設置方法および設置方法に適した太陽電池モジュールを提供するものである。
【０００８】
【課題を解決するための手段】
上記の目的を達成するために、１ないし複数の太陽電池セルと太陽電池セルの出力を取り出すための内部配線とが共に保護フィルムにより両面から被覆されてなる太陽電池モジュール本体と、さらに内部配線と外部ケーブルとの接続端子を内蔵する端子箱が太陽電池モジュールの本体に取り付けられている太陽電池モジュールにおいて、前記端子箱はこの前記端子箱の底面より大きい取り付け板により太陽電池モジュール本体に取り付けられている太陽電池モジュールの設置方法であって、前記取り付け板の前記端子箱の外側縁部をテント構造建築物の構造体に固定することにより、前記端子箱をテント構造建築物の構造体に固定することとする。
【０００９】
前記内部配線は編組導体であると良い。
前記太陽電池モジュール本体は内部配線の延長部が前記保護フィルムの延長部により両面から被覆されてなる細長い延長ケーブルを有し、この延長ケーブルの端部に前記端子箱が取り付けられていると良い。
前記内部配線の延長部は前記太陽電池モジュールの太陽電池セルの外側周縁部に巡らされており、延長部に沿っての裁断により細長い前記延長ケーブルが得られると良い。
【００１１】
【発明の実施の形態】
図１に本発明に係る取り付け板を有するフレキシブルな太陽電池モジュールを示し（ａ）は透視平面図であり、（ｂ）は（ａ）におけるＡＡ、ＢＢ合成断面図である。
太陽電池モジュールの封止構造は従来技術で述べた構造と同じである。本発明では、端子箱１７は端子箱１７の底面よりも寸法が大きく建築物へ固定する取り付け用穴１８ｈを複数有する端子箱取付け板１８ａを用いて太陽電池モジュール本体に取り付けられている。端子箱１７の太陽電池モジュール本体１０への取付け方法は従来と同じく図示してないネジによって取り付けられている。
【００１２】
太陽電池モジュール本体１０をその周縁部ｍ（斜線を施した部分）をテント膜材に熱溶着によって一体化しておき、この太陽電池モジュール付きテント膜材を建築物構造体へ施工した後、建築物構造体に端子箱を固定する。図２は本発明に係る端子箱の建築物構造体への取付け方法を示す要部破断斜視図である。テント膜材２３の辺は棒状の補強部材２４を内側にして折り返され、重なった部分をゴムシート３１に挟まれ、押さえプレート３２で押さえられ、押さえプレート３２は建築物構造体２１の例えば庇部分２２にボルト３３で固定される。その後、端子箱１７は押えプレート３に端子箱取付け用板１８ａに設けられた取り付け用穴を貫通するネジ１８ｎによって固定される。
【００１３】
このように、取付け用板が端子箱より大きいので、その固定作業は盲作業でなく容易に確実に実施できる。そして、端子箱はフレキシブルでない強固な建築物構造体の一部に、例えば庇部分に、固定されるので、端子箱はテント膜材に負荷をかけず、テント膜材が揺れてもテント膜材に従来のような局所的な疲労は生じない。
【００１４】
図３は本発明に係る設置に適した太陽電池モジュールを示す透視平面図である。端子箱１７は従来の太陽電池モジュール本体１０から離れており、内部配線１３は延長され端子箱１７に導入されている。内部配線１３の延長部は太陽電池モジュール本体１０内と同じ被覆が連続して施されて延長ケーブル１３ａとされている。太陽電池モジュール本体１０に別途作製された延長部を接続したものではないので、被覆部には材質的に不連続部を持たず、雨水などの侵入は起こらず信頼性が高い。このような、延長ケーブル１３ａを持ったため、端子箱１７の設置場所を自由に選択でき、施工が容易になる。
【００１５】
図４は本発明に係る延長ケーブルを利用した端子箱固定方法の例を示す平面図である。延長ケーブル１３ａを折り畳むこと（折り畳み部１３ｒ）によりさらに設置場所選択の自由度が高まっていることが判る。
図５は本発明に係る柔軟な内部配線の部分図である。内部配線として、例えば同軸ケーブルなどに使用されている外部遮蔽のように複数本の素線を編み込んだ編組導体１３ｃを用いている。編組導体１３ｃを用いても太陽電池モジュールの製造方法は変わらず、太陽電池モジュールあるいは内部配線延長部の柔軟性は増加しているので、折り畳みにより被覆が破れることはなく、施工の簡便さが増加した。
【００１６】
図６は本発明に係る内部配線を有する他の太陽電池モジュールの平面図である。内部配線延長部１３ｂは太陽電池モジュール本体の内部配線のさらに外側に周縁部分に巡らされている。この部分は太陽電池モジュール本体と連続して同じフィルムで被覆されている。そして、内部配線延長部１３ｂに沿って描かれた裁断線Ｌ（２点鎖線）で裁断すれば、図５に示したのと同様の細長い延長ケーブルが得られる。延長ケーブルの先端部に端子箱１７は取り付けられている。
【００１７】
両内部配線延長部１３ｂは太陽電池モジュール本体の他の辺に巡らせても、あるいは非対称に配置しても良い。
この延長ケーブルを適宜折り返して（図４参照）、端子箱を任意の位置に容易に設置することができる。
【００１８】
【発明の効果】
本発明によれば、１ないし複数の太陽電池セルと太陽電池セルの出力を取り出すための内部配線とが共に保護フィルムにより両面から被覆されてなる太陽電池モジュール本体と、さらに内部配線と外部ケーブルとの接続用端子を内蔵する端子箱が太陽電池モジュール本体に取り付けられている太陽電池モジュールにおいて、前記端子箱はこの前記端子箱の底面より大きい取り付け板により太陽電池モジュール本体に取り付けられているまた、編組導体は伸縮性を有するため、太陽電池モジュールに波打ちが発生しモジュールと端子箱間に引張り力等が生じても、編組導体自身が引張り力に応じて伸縮するため、断線や繰り返し力による金属疲労等を回避することが可能となり、太陽電池モジュールの故障を低減することができる。
【００１９】
また、このような、太陽電池モジュールの取り付け板の前記端子箱の外側縁部をテント構造建築物の構造体に固定することにより、前記端子箱をテント構造建築物の構造体に固定するようにしたため、太陽電池モジュールが設置されたテント膜が風により波打ちを起しても、重量の集中する個所が太陽電池モジュール内には無いため、従来のような局部的なモジュールのばたつき等の発生が無くなる。したがって、テント膜材と太陽電池モジュールを接着している部分の機械的な破損を抑制することができる。
【図面の簡単な説明】
【図１】本発明に係る取り付け板を有するフレキシブルな太陽電池モジュールを示し（ａ）は透視平面図であり、（ｂ）は（ａ）におけるＡＡ、ＢＢ合成断面図である。
【図２】本発明に係る端子箱の建築物構造体への取付け方法を示す要部破断斜視図である。
【図３】本発明に係る設置に適した太陽電池モジュールを示す平面図である。
【図４】本発明に係る延長ケーブルを利用した端子箱固定方法の例を示す平面図である。
【図５】本発明に係る柔軟な内部配線の部分図である。
【図６】本発明に係る内部配線を有する他の太陽電池モジュールの平面図である。
【図７】従来の端子箱を有するフレキシブルな太陽電池モジュールを示し（ａ）は透視平面図であり、（ｂ）は（ａ）におけるＡＡ、ＢＢ合成断面図である。
【符号の説明】
１０    太陽電池モジュール本体
１１    太陽電池セル
１２    補助配線
１３    内部配線
１３ａ  内部配線延長部
１３ｂ  延長ケーブル
１３ｃ  編組導体
１３ｒ  折り畳み部
１４    封止フィルム
１５    表面保護フィルム
１６    裏面保護フィルム
１７    端子箱
１８    端子箱取付け板
１８ｈ  取付け用穴
１８ｎ  取付けネジ
２１    建築物構造体
２２    庇状基礎部分
２３    テント膜材
２４    補強部材
３１    ゴムシート
３２    押え板
３３    ボルト
ｍ    熱溶着部
Ｌ    裁断線
【図１】
0004534359.tif 000002
【図２】
0004534359.tif 000003
【図３】
0004534359.tif 000004
【図４】
0004534359.tif 000005
【図５】
0004534359.tif 000006
【図６】
0004534359.tif 000007
【図７】
0004534359.tif 000008